(57)【特許請求の範囲】
【請求項１】
入力回路と、出力回路と、前記入力回路を介して信号が入力されるとともに、前記出力回路を介して信号を出力する制御回路とを備える給湯装置であって、
前記制御回路を、故障を診断する故障診断モードにする操作部と、
故障の診断結果およびその診断結果に対する対処の少なくとも一方を報知する報知部とを備え、
前記入力回路、前記出力回路および制御回路は、制御基板に搭載されており、
前記制御回路は、前記故障診断モードに移行したときに、前記制御基板に接続されている負荷を外すべき旨の指示と、前記制御基板の所定の入力端子と所定の出力端子とを電気的に接続すべき旨の指示とを、前記報知部によって行い、前記指示に従った操作がなされた状態で、診断用信号を出力するとともに、前記入力回路および前記出力回路の少なくとも一方の回路を介して前記診断用信号に対応して該制御回路に入力されるべき信号に基づいて、故障診断を行い、その故障診断の結果に基づいて、故障個所が前記制御基板側にあるか、該制御基板に接続される負荷側にあるかを前記報知部によって報知することを特徴とする給湯装置。
【請求項２】
入力回路と、出力回路と、前記入力回路を介して信号が入力されるとともに、前記出力回路を介して信号を出力する制御回路とを備える制御装置であって、
前記制御回路を、故障を診断する故障診断モードにする操作部と、
故障の診断結果およびその診断結果に対する対処の少なくとも一方を報知する報知部とを備え、
前記入力回路、前記出力回路および制御回路は、制御基板に搭載されており、
前記制御回路は、前記故障診断モードに移行したときに、前記制御基板に接続されている負荷を外すべき旨の指示と、前記制御基板の所定の入力端子と所定の出力端子とを電気的に接続すべき旨の指示とを、前記報知部によって行い、前記指示に従った操作がなされた状態で、診断用信号を出力するとともに、前記入力回路および前記出力回路の少なくとも一方の回路を介して前記診断用信号に対応して該制御回路に入力されるべき信号に基づいて、故障診断を行い、その故障診断の結果に基づいて、故障個所が前記制御基板側にあるか、該制御基板に接続される負荷側にあるかを前記報知部によって報知することを特徴とする制御装置。
【請求項３】
入力回路と、出力回路と、前記入力回路を介して信号が入力されるとともに、前記出力回路を介して信号を出力する制御回路と、前記制御回路を、故障を診断する故障診断モードにする操作部と、故障の診断結果およびその診断結果に対する対処の少なくとも一方を報知する報知部とを備え、前記入力回路、前記出力回路および制御回路は、制御基板に搭載されている給湯装置における故障診断方法であって、
前記操作部の所定の操作に応答して、通常制御モードから故障診断モードに移行する第１のステップと、
故障診断モードに移行したときに、前記報知部によって故障診断のために前記制御基板に接続されている負荷を外すべき旨の指示と、前記制御基板の所定の入力端子と所定の出力端子とを電気的に接続すべき旨の指示とを報知する第２のステップと、
前記指示に従った操作がなされた後の操作部からの所定の操作に応答して、前記制御回路は、診断用信号を出力するとともに、前記入力回路および前記出力回路の少なくとも一方の回路を介して前記診断用信号に対応して該制御回路に入力されるべき信号に基づいて、故障診断を行う第３のステップと、
故障の診断結果に基づいて、故障個所が前記制御基板側にあるか、該制御基板に接続される負荷側にあるかを前記報知部によって報知する第４のステップと、
を備えることを特徴とする給湯装置における故障診断方法。
【発明の詳細な説明】
【０００１】
【発明の属する技術分野】
本発明は、制御回路を備える各種の制御装置、給湯を行う給湯装置およびその故障診断方法に関する。
【０００２】
【従来の技術】
従来、例えば、給湯装置においては、異常が生じた場合には、その内容に応じて、リモコンの表示部に、エラーコードが表示されるようになっており、現場に出向いたサービスマンは、サービスマニュアルの該当するエラーコードの個所に記載されている手順に従って、例えば、テスター等を用いて故障個所を特定して修理するようにしている。
【０００３】
【発明が解決しようとする課題】
このような従来例では、サービスマン自身が、テスター等で計測した計測値と、サービスマニュアルに記載されている判定値とを比較して正常であるか否かを一々診断しなければならず、このため、作業が煩雑であるとともに、誤って判定して故障個所を間違えてしまう場合があるといった難点がある。
【０００４】
このため、パソコン機能を備えて故障診断を支援するようにした装置もあるが、かかる故障診断支援装置は、高価であるという難点がある。
【０００５】
本発明は、上述の点に鑑みて為されたものであって、高価な故障診断支援装置を使用することなく、故障診断作業を軽減できるようにすることを目的とする。
【０００６】
【課題を解決するための手段】
本発明では、上述の目的を達成するために、次のように構成している。
【０００８】
請求項１に係る本発明の給湯装置は、入力回路と、出力回路と、前記入力回路を介して信号が入力されるとともに、前記出力回路を介して信号を出力する制御回路とを備える給湯装置であって、前記制御回路を、故障を診断する故障診断モードにする操作部と、故障の診断結果およびその診断結果に対する対処の少なくとも一方を報知する報知部とを備え、前記入力回路、前記出力回路および制御回路は、制御基板に搭載されており、前記制御回路は、前記故障診断モードに移行したときに、前記制御基板に接続されている負荷を外すべき旨の指示と、前記制御基板の所定の入力端子と所定の出力端子とを電気的に接続すべき旨の指示とを、前記報知部によって行い、前記指示に従った操作がなされた状態で、診断用信号を出力するとともに、前記入力回路および前記出力回路の少なくとも一方の回路を介して前記診断用信号に対応して該制御回路に入力されるべき信号に基づいて、故障診断を行い、その故障診断の結果に基づいて、故障個所が前記制御基板側にあるか、該制御基板に接続される負荷側にあるかを前記報知部によって報知するものである。
【０００９】
請求項２に係る本発明の制御装置は、入力回路と、出力回路と、前記入力回路を介して信号が入力されるとともに、前記出力回路を介して信号を出力する制御回路とを備える制御装置であって、前記制御回路を、故障を診断する故障診断モードにする操作部と、故障の診断結果およびその診断結果に対する対処の少なくとも一方を報知する報知部とを備え、前記入力回路、前記出力回路および制御回路は、制御基板に搭載されており、前記制御回路は、前記故障診断モードに移行したときに、前記制御基板に接続されている負荷を外すべき旨の指示と、前記制御基板の所定の入力端子と所定の出力端子とを電気的に接続すべき旨の指示とを、前記報知部によって行い、前記指示に従った操作がなされた状態で、診断用信号を出力するとともに、前記入力回路および前記出力回路の少なくとも一方の回路を介して前記診断用信号に対応して該制御回路に入力されるべき信号に基づいて、故障診断を行い、その故障診断の結果に基づいて、故障個所が前記制御基板側にあるか、該制御基板に接続される負荷側にあるかを前記報知部によって報知するものである。
【００１１】
請求項３に係る本発明の給湯装置における故障診断方法は、入力回路と、出力回路と、前記入力回路を介して信号が入力されるとともに、前記出力回路を介して信号を出力する制御回路と、前記制御回路を、故障を診断する故障診断モードにする操作部と、故障の診断結果およびその診断結果に対する対処の少なくとも一方を報知する報知部とを備え、前記入力回路、前記出力回路および制御回路は、制御基板に搭載されている給湯装置における故障診断方法であって、前記操作部の所定の操作に応答して、通常制御モードから故障診断モードに移行する第１のステップと、故障診断モードに移行したときに、前記報知部によって故障診断のために前記制御基板に接続されている負荷を外すべき旨の指示と、前記制御基板の所定の入力端子と所定の出力端子とを電気的に接続すべき旨の指示とを報知する第２のステップと、前記指示に従った操作がなされた後の操作部からの所定の操作に応答して、前記制御回路は、診断用信号を出力するとともに、前記入力回路および前記出力回路の少なくとも一方の回路を介して前記診断用信号に対応して該制御回路に入力されるべき信号に基づいて、故障診断を行う第３のステップと、故障の診断結果に基づいて、故障個所が前記制御基板側にあるか、該制御基板に接続される負荷側にあるかを前記報知部によって報知する第４のステップとを備えている。
【００１３】
請求項１に係る本発明によれば、制御回路は、前記故障診断モードにおいては、診断用信号を出力するとともに、入力回路および出力回路の少なくとも一方の回路を介して前記診断用信号に対応して該制御回路に入力されるべき信号に基づいて、故障診断を行う、すなわち、制御回路自身で故障診断を行うので、従来、サービスマンが、テスター等で計測し、その計測値と判定値とを比較して正常であるか否かを診断していた作業を、当該給湯装置に任せることができ、その分故障診断作業を軽減できる。
【００１４】
また、請求項１に係る本発明によれば、入力回路、出力回路および制御回路は、制御基板に搭載されており、前記制御回路は、前記故障診断モードに移行したときに、前記制御基板に接続されている負荷を外すべき旨の指示と、前記制御基板の所定の入力端子と所定の出力端子とを電気的に接続すべき旨の指示とを、前記報知部によって行うので、前記両端子間を電気的に接続することよって、該両端端子を介して、制御回路から、入力回路および出力回路の少なくとも一方の回路を介して制御回路に戻る診断用信号の信号経路が形成されることになり、この信号経路を診断対象として故障の有無を診断できることになる。
【００１５】
さらに、請求項１に係る本発明によれば、前記制御回路は、故障診断の結果に基づいて、故障個所が制御基板側にあるか、該制御基板に接続される負荷側にあるかを前記報知部によって報知するので、故障個所の特定が迅速に行える。
【００１６】
請求項３に係る本発明によれば、故障診断モードに移行したときに、故障診断のために制御基板に接続されている負荷を外すべき旨の指示と、制御基板の所定の入力端子と所定の出力端子とを電気的に接続すべき旨の指示とを報知し、操作部からの所定の操作に応答して、制御回路は、診断用信号を出力するとともに、入力回路および出力回路の少なくとも一方の回路を介して前記診断用信号に対応して該制御回路に入力されるべき信号に基づいて、故障診断を行い、故障の診断結果に基づいて、故障個所が前記制御基板側にあるか、該制御基板に接続される負荷側にあるかを、報知部によって報知するので、従来、サービスマンが、テスター等で計測し、その計測値と判定値とを比較して正常であるか否かを診断していた作業を、当該給湯装置に任せることができ、その分故障診断作業を軽減できる。
【００１７】
【発明の実施の形態】
以下、本発明の詳細を図面に示す実施形態に基づいて説明する。
【００１８】
図１は、本発明の一つの実施の形態に係る給湯装置を示す概略構成図である。
【００１９】
この給湯装置１は、主として、浴槽２に図示しない循環金具を介して接続された循環路３に配設された循環ポンプ４と、追い焚き加熱部５と、給湯加熱部６と、各種センサ等の出力およびリモコン７の設定操作に応じて、各部を制御するとともに、後述のように故障診断を行うコントローラ８とを備えている。
【００２０】
循環路３は、浴槽水導入側である戻り側３ａと浴槽水還流側である往き側３ｂとを備えており、戻り側の循環路３ａには、浴槽２の水位を検出する圧力センサなどからなる水位センサ９が設けられるとともに、循環ポンプ４と追い焚き加熱部５との間の循環路３には、循環水量に応じてオンオフする水流スイッチ１０及び温度センサとしてのサーミスタ２０が設けられている。
【００２１】
往き側の循環路３ｂには、給湯加熱部６の下流側の給湯路１１が分岐されたバイパス路１１ａが、注湯量を検出する水量センサ１２、注湯電磁弁１３および逆止弁６０を介して接続されている。
【００２２】
追い焚き加熱部５は、追い焚き用熱交換器１４、追い焚き用加熱器１５および燃焼用の給気を行う追い焚き用ファン２１を備えており、給湯加熱部６は、給湯用熱交換器１６、給湯用加熱器１７および燃焼用の給気を行う給湯用ファン２２を備えている。
【００２３】
この給湯装置１は、風呂自動給湯機能を備えており、図２に示されるリモコン７のお湯張りスイッチ４５が操作されて自動湯張りが設定されると、浴槽２に対して給湯する自動湯張り運転を行うものである。なお、リモコン７には、設定温度等の各種の表示を行うとともに、異常が生じたときに、対応するエラーコードを表示する液晶や蛍光発光を利用した蛍光管からなる表示部４１と、アップダウンスイッチ４２，４３と、給湯装置を運転状態にするか停止状態にするかを選択する運転スイッチ４４と、設置されたリモコンの出湯温度の優先度を切り替える優先スイッチ４６と、呼び出しスイッチ４７とが設けられている。
【００２４】
上述の自動湯張り運転では、図１に示される注湯電磁弁１３が開かれ、浴槽２に給湯加熱部６で加熱された湯が循環路３の戻り側３ａおよび往き側３ｂの両方から供給され、リモコン７で設定された浴槽水位になるように湯張りが行われるものである。
【００２５】
この給湯装置１は、従来例と同様に、コントローラ８は、異常を検知したときには、リモコン７の表示部４１にエラーコードを表示するものであり、従来例では、かかるエラーコードに基づいて、現場に出向いたサービスマンが、サービスマニュアルの記載に従って、例えば、テスター等を用いて故障個所を特定して修理するのであるが、上述のように、サービスマン自身が、テスター等で計測した計測値と、サービスマニュアルに記載されている判定値とを比較して正常であるか否か一々診断しなければならず、このため、作業が煩雑であるとともに、誤った判定をして故障個所を間違えてしまう場合があるといった難点があった。
【００２６】
そこで、この実施の形態では、コントローラ８自身で故障の診断を行ってサービスマンの作業を軽減できるように次のように構成している。
【００２７】
すなわち、例えば、リモコン７の表示部４１にエラーコードが表示されてサービスマンがコールされると、現場に出向いたサービスマンは、リモコン７に対して所定の操作を行ってコントローラ８を、通常制御モードから故障診断モードに移行させる。
【００２８】
この故障診断モードでは、コントローラ８は、エラーコードに応じた故障診断を行うために、サービスマンに対する指示を、リモコン７の表示部４１に表示する。この指示には、後述のようにコントローラ８の所定の入力端子と所定の出力端子とを電気的に接続して診断を行う対象となる信号経路を形成するための指示を含んでいる。
【００２９】
この指示に従って、サービスマンがコントローラ８の所定の入力端子と所定の出力端子とを電気的に接続して診断対象となる信号経路を形成し、リモコン７に対して所定の操作を行うことで、コントローラ８は、診断動作を開始して正常であるか否かを診断し、その診断結果およびその対処をリモコン７の表示部４１に表示するものである。
【００３０】
図３は、この実施の形態の故障診断方法を説明するためのコントローラ８の要部のブロック図であり、上述の図１に対応する部分には、同一の参照符号を付す。
【００３１】
コントローラ８は、制御回路としてのマイクロコンピュータ２３と、水量センサ１２からの水量パルスが入力される水量パルス入力回路２４と、サーミスタ２０のアナログ出力が与えられるサーミスタ入力回路２５と、上述の追い焚き用ファン２１や給湯用ファン２２のファンモータ２７に対してパルス信号を出力するファンパルス出力回路２６と、水位センサ９に対して基準電圧を出力する水位センサ基準電圧出力回路２８とを備えており、水量センサ１２、サーミスタ２０、ファンモータ２７および水位センサ９は、それぞれコネクタ２９〜３２を介してコントローラ８に接続されている。
【００３２】
水量パルス入力回路２４やサーミスタ入力回路２５などの入力回路は、主としてマイクロコンピュータ２３の入力に適した電圧に変換するものであり、ファンパルス出力回路２６や水位センサ基準電圧出力回路２８などの出力回路は、主として、マイクロコンピュータ２３からの出力を電圧変換するものである。
【００３３】
マイクロコンピュータ２３は、水量パルス入力回路２４を介して水量センサ１２からの水量パルスを取り込むとともに、サーミスタ入力回路２５を介してサーミスタ２０のアナログ出力を取り込む一方、ファンモータ２７に対してファンパルス出力回路２６を介してファンパルスを出力するとともに、水位センサ基準電圧出力回路２８を介して水位センサ９に対してアナログ基準電圧を出力するものである。
【００３４】
以上の構成は、基本的に従来例と同様である。
【００３５】
この実施の形態では、コントローラ８のマイクロコンピュータ２３は、異常が生じた際には、そのエラーコードの内容などに応じて、例えば、水量パルス入力回路２４やサーミスタ入力回路２５などの入力回路、あるいは、ファンパルス出力回路２６や水位センサ基準電圧出力回路２８などの出力回路を含む信号経路を診断対象として故障診断を行うものである。
【００３６】
この故障診断では、マイクロコンピュータ２３は、後述のように診断用信号を出力し、その診断用信号に対応してマイクロコンピュータ２３に入力されるべき信号に基づいて、故障の診断を行うものであり、この診断用信号の電圧変換や増幅などのために、パルス出力回路３３、アナログ電圧出力回路３４、アナログ電圧入力回路３５およびパルス入力回路３６を備えるとともに、各回路３３〜３６に個別的に対応するコネクタ３７〜４０を備えている。
【００３７】
以上の各回路２３〜２６，２８，３３〜３６は、制御基板５２に搭載されており、この制御基板５２には、上述の各コネクタ２９〜３２，３７〜４０が装備されている。
【００３８】
次に、この実施の形態の給湯装置１における故障診断のいくつかの具体例を説明する。
【００３９】
故障診断１．コントローラ８が、ファンモータ２７の故障であるとしてリモコン７の表示部４１に対応するエラーコードを表示した場合
この場合には、現場に出向いたサービスマンが、リモコン７の操作部としての所定のスイッチ、例えば運転スイッチ４４を、１０秒間押し続けると、マイクロコンピュータ２３は、故障診断モードに移行し、エラーコードから想定される診断項目、例えば、
（１）ファンモータ電源供給異常診断、
（２）ファンモータ制御信号異常診断、
（３）ファンモータ回転数信号異常診断
といった診断項目を、リモコン７の報知部としての表示部４１に表示する。
【００４０】
サービスマンは、リモコン７のアップダウンスイッチ４２，４３を操作して診断項目を選択して、例えば、運転スイッチ４４を操作して確定させると、マイクロコンピュータ２３は、選択された診断項目に対応する故障診断のための指示をリモコン７の表示部４１に表示する。例えば、（２）「ファンモータ制御信号異常診断」が選択されたとすると、例えば、
（１）コネクタ３１に接続されているファンモータを外して下さい。
（２）コネクタ３１の何番のピン端子３１ａと、コネクタ４０のピン端子４０ａとに、「ショート電装」を、接続して下さい。
（３）「優先スイッチ」を押して下さい。
【００４１】
といった指示を表示する。
【００４２】
なお、前記何番のピン端子３１ａは、ファンモータ２７の制御信号ラインに対応するピン端子であり、優先スイッチ４６は、故障診断モードにおいては、診断動作の開始スイッチとなるものである。
【００４３】
この指示に従って、サービスマンが、図４に示されるように、ファンモータ２７をコネクタ３１から外し、コネクタ３１の所定の出力端子としてのピン端子３１ａと、コネクタ４０の所定の入力端子としてのピン端子４０ａとに、ショート電装４８を接続し、さらに、優先スイッチ４６を操作すると、マイクロコンピュータ２３は、診断動作を開始する。
【００４４】
すなわち、マイクロコンピュータ２３は、ファンパルス出力回路２６に対して診断用パルスを出力する。この診断用パルスとしては、例えば、周波数の異なる複数種類のパルスであり、これらの診断用パルスが、例えば、所定の期間に亘って順番に出力される。
【００４５】
これらの診断用パルスの出力によって、ファンパルス出力回路２６、ショート電装４８およびパルス入力回路３６を介して、マイクロコンピュータ２３に、対応するパルス信号が入力され、そのパルス信号が、例えば、所定の周波数範囲にあるときには、正常であると判断し、対応するパルス信号が入力されないとき、あるいは、入力されたパルス信号が、所定の周波数範囲にないときには、異常であると判断するものである。そして、その診断結果およびその対処を、リモコン７の表示部４１に表示するものである。
【００４６】
例えば、「コントローラが異常です。交換して下さい。」あるいは「コントローラは正常です。ファンモータを調べて下さい。」といった表示を行うものである。
【００４７】
以後の故障診断作業は、基本的に従来と同様に行われる。
【００４８】
故障診断２．水量センサ１２の故障として水が流れても燃焼しないためにサービスマンコールされた場合
この場合には、サービスマンが、例えば、運転スイッチ４４を、１０秒間押し続けると、マイクロコンピュータ２３は、故障診断モードに移行し、エラーコードを発生していない場合には、異常現象、例えば、
（１）燃焼しない
（２）自動お湯張りで湯があふれる
（３）給湯温度が安定しない
といった異常現象を、診断項目としてリモコン７の表示部４１に表示する。
【００４９】
サービスマンは、リモコン７のアップダウンスイッチ４２，４３を操作して診断項目を選択して、例えば、運転スイッチ４４を操作して確定させると、マイクロコンピュータ２３は、選択された診断項目に対応する故障診断のための指示をリモコン７の表示部４１に表示する。例えば、（１）「燃焼しない」が選択されたとすると、例えば、
（１）コネクタ２９に接続されている水量センサを外して下さい。
（２）コネクタ２９の何番のピン端子２９ａと、コネクタ３７のピン端子３７ａとに、「ショート電装」を、接続して下さい。
（３）「優先スイッチ」を押して下さい。
【００５０】
といった指示が表示される。
【００５１】
なお、前記何番のピン端子２９ａは、水量センサ１２からの入力信号ラインに対応するピン端子である。
【００５２】
この指示に従って、サービスマンが、図５に示されるように、水量センサ１２をコネクタ２９から外し、コネクタ２９の所定のピン端子２９ａとコネクタ３７のピン端子３７ａとに、ショート電装４９を接続し、さらに、優先スイッチ４６を操作すると、マイクロコンピュータ２３は、診断動作を開始する。
【００５３】
すなわち、マイクロコンピュータ２３は、パルス出力回路３３に対して診断用パルスを出力する。この診断用パルスとしては、例えば、周波数の異なる複数種類のパルスであり、これらの診断用パルスが、例えば、所定の期間に亘って順番に出力される。
【００５４】
これらの診断用パルスの出力によって、パルス出力回路３３、ショート電装４９および水量パルス入力回路２４を介してマイクロコンピュータ２３に、対応するパルス信号が入力され、そのパルス信号が、例えば、所定の周波数範囲にあるときには、正常であると判断し、対応するパルス信号が入力されないとき、あるいは、入力されたパルス信号が、所定の周波数範囲にないときには、異常であると判断するものである。そして、その診断結果およびその対処を、リモコン７の表示部４１に表示するものである。
【００５５】
例えば、「コントローラが異常です。交換して下さい。」あるいは「コントローラは正常です。水量センサを調べて下さい。」といった表示を行うものである。
【００５６】
以後の故障診断作業は、基本的に従来と同様に行われる。
【００５７】
故障診断３．水位センサ９の故障としてお風呂の湯があふれるためにサービスマンコールされた場合
この場合には、サービスマンが、例えば、運転スイッチ４４を、１０秒間押し続けると、マイクロコンピュータ２３は、故障診断モードに移行し、エラーコードを発生していない場合には、異常現象、例えば、
（１）燃焼しない
（２）自動お湯張りで湯があふれる
（３）給湯温度が安定しない
といった異常現象を、診断項目としてリモコン７の表示部４１に表示する。
【００５８】
サービスマンは、リモコン７のアップダウンスイッチ４２，４３を操作して診断項目を選択して、例えば、運転スイッチ４４を操作して確定させると、マイクロコンピュータ２３は、選択された診断項目に対応する故障診断のための指示をリモコン７の表示部４１に表示する。例えば、（２）「自動お湯張りで湯があふれる」が選択されたとすると、例えば、
（１）コネクタ３２に接続されている水位センサを外して下さい。
（２）コネクタ３２の何番のピン端子３２ａと、コネクタ３９のピン端子３９ａとに、「ショート電装」を、接続して下さい。
（３）「優先スイッチ」を押して下さい。
【００５９】
といった指示が表示される。
【００６０】
なお、前記何番のピン端子３２ａは、水位センサ９に対する基準電圧信号の出力ラインに対応するピン端子である。
【００６１】
この指示に従って、サービスマンが、図６に示されるように、水位センサ９をコネクタ３２から外し、コネクタ３２の所定のピン端子３２ａとコネクタ３９のピン端子３９ａとに、ショート電装５０を接続し、さらに、優先スイッチ４６を操作すると、マイクロコンピュータ２３は、診断動作を開始する。
【００６２】
すなわち、マイクロコンピュータ２３は、水位センサ基準電圧出力回路２８に対して診断用のアナログ電圧信号を出力する。この診断用のアナログ電圧信号としては、例えば、電圧の異なる複数種類のアナログ電圧信号であり、これらの診断用のアナログ電圧信号が、例えば、所定の期間に亘って順番に出力される。
【００６３】
これらの診断用のアナログ電圧信号の出力によって、水位センサ基準電圧出力回路２８、ショート電装５０およびアナログ電圧入力回路３５を介して、マイクロコンピュータ２３に、対応するアナログ電圧信号が入力され、そのアナログ電圧信号が、例えば、所定の電圧範囲にあるときには、正常であると判断し、対応するアナログ電圧信号が入力されないとき、あるいは、入力されたアナログ電圧信号が、所定の電圧範囲にないときには、異常であると判断するものである。そして、その診断結果およびその対処を、リモコン７の表示部４１に表示するものである。
【００６４】
例えば、「コントローラが異常です。交換して下さい。」あるいは「コントローラは正常です。水位センサを調べて下さい。」といった表示を行うものである。
【００６５】
以後の故障診断作業は、基本的に従来と同様に行われる。
【００６６】
故障診断４．コントローラ８が、サーミスタ２０の故障であるとしてリモコン７の表示部４１に対応するエラーコードを表示した場合
この場合には、サービスマンが、例えば、運転スイッチ４４を、１０秒間押し続けると、マイクロコンピュータ２３は、診断モードに移行し、エラーコードから想定される診断項目、例えば、
（１）サーミスタ異常診断、
といった診断項目を、リモコン７の表示部４１に表示する。
【００６７】
サービスマンは、リモコン７のアップダウンスイッチ４２，４３を操作して診断項目を選択して、例えば、運転スイッチ４４を操作して確定させると、マイクロコンピュータ２３は、選択された診断項目に対応する故障診断のための指示をリモコン７の表示部４１に表示する。例えば、（１）「サーミスタ異常診断」が選択されたとすると、例えば、
（１）コネクタ３０に接続されているサーミスタを外して下さい。
（２）コネクタ３０の何番のピン端子３０ａと、コネクタ３８のピン端子３８ａとに、「ショート電装」を、接続して下さい。
（３）「優先スイッチ」を押して下さい。
【００６８】
といった指示が表示される。
【００６９】
なお、前記何番のピン端子３０ａは、サーミスタ２０からの入力信号ラインに対応するピン端子である。
【００７０】
この指示に従って、サービスマンが、図７に示されるように、サーミスタ２０をコネクタ３０から外し、コネクタ３０の所定のピン端子３０ａとコネクタ４０のピン端子とに、ショート電装５１を接続し、さらに、優先スイッチ４６を操作すると、マイクロコンピュータ２３は、診断動作を開始する。
【００７１】
すなわち、マイクロコンピュータ２３は、アナログ電圧出力回路３４に対して診断用のアナログ電圧信号を出力する。この診断用のアナログ電圧信号としては、例えば、電圧の異なる複数種類のアナログ電圧信号であり、これらの診断用のアナログ電圧信号が、例えば、所定の期間に亘って順番に出力される。
【００７２】
これらの診断用のアナログ電圧信号の出力によって、アナログ電圧出力回路３４、ショート電装５１およびサーミスタ入力回路２５を介してマイクロコンピュータ２３に、対応するアナログ電圧信号が入力され、そのアナログ電圧信号が、例えば、所定の電圧範囲にあるときには、正常であると判断し、対応するアナログ電圧信号が入力されないとき、あるいは、入力されたアナログ電圧信号が、所定の電圧範囲にないときには、異常であると判断するものである。そして、その診断結果およびその対処を、リモコン７の表示部４１に表示するものである。
【００７３】
例えば、「コントローラが異常です。交換して下さい。」あるいは「コントローラは正常です。サーミスタを調べて下さい。」といった表示を行うものである。
【００７４】
以後の故障診断作業は、基本的に従来と同様に行われる。
【００７５】
以上のようにして、サービスマンは、リモコン７の所定のスイッチを操作し、表示部４１に表示された指示に従って、所定のピン端子間を電気的に接続した後、所定のスイッチを操作することによって、コントローラ８自身によって故障の診断が行われ、故障が、コントローラ８側にあるのか、あるいは、コントローラ８に接続される負荷側にあるのかの診断結果が、リモコン７の表示部４１に表示されることになる。
【００７６】
したがって、サービスマンは、故障が、コントローラ８側にあるのか、あるいは、コントローラ８に接続される負荷側にあるのかを特定するために、従来のように、サービスマニュアルを見て、該当するエラーコードの個所に記載されている手順に従って、例えば、テスター等を用いて計測を行い、その計測値と、サービスマニュアルに記載されている判定値とを比較して正常か否かの診断をする必要がなく、したがって、高価な故障診断支援装置を用いることなく、診断作業が軽減されるとともに、計測値や判定値を間違えて誤った診断をすることもない。しかも、故障が、コントローラ８側にあるのか、あるいは、コントローラ８に接続される負荷側にあるのかの診断結果が、リモコン７の表示部４１に表示されるので、それに基づいて、故障個所の特定が迅速に行えることになる。
【００７７】
上述の実施の形態では、診断用信号の電圧変換や増幅などのために、パルス出力回路３３、アナログ電圧出力回路３４、アナログ電圧入力回路３５およびパルス入力回路３６を設けるとともに、各回路３３〜３６に個別的に対応するコネクタ３７〜４０を設けたけれども、コントローラ８の既存の回路を利用できる場合には、既存の回路を用いるようにして上記出力回路３３，３４や入力回路３５，３６および対応するコネクタ３８〜４０を省略してもよい。この場合には、既存の回路の診断も併せて行えることになる。
【００７８】
上述の実施の形態では、具体例として、水量パルス入力回路２４、サーミスタ入力回路２５、ファンパルス出力回路２６および基準電圧出力回路２８の故障診断について説明したけれども、コントローラ８の図示しない入力回路や出力回路等の故障の診断も同様に行えるのは勿論である。
【００７９】
なお、診断用信号の種類、その出力の形態および正常か否かの判断の手法は、上述の実施の形態に限らないのは勿論である。
【００８０】
また、診断結果およびその診断結果に対する対処などの報知は、音声で行うようにしてもよい。
【００８１】
上述の実施の形態では、給湯装置に適用して説明したけれども、本発明は、給湯装置以外の制御装置にも適用できるものである。
【００８２】
【発明の効果】
以上のように本発明によれば、制御回路は、故障診断モードにおいては、診断用信号を出力するとともに、該診断用信号に対応して該制御回路に入力されるべき信号に基づいて、故障診断を行う、すなわち、制御回路自身で故障診断を行うので、従来、サービスマンが、テスター等で計測し、その計測値と判定値とを比較して正常であるか否かを診断していた作業を、当該制御装置や給湯装置に任せることができ、その分故障診断作業を軽減でき、しかも、高価な故障診断支援装置を用いる必要もない。
【００８３】
また、本発明によれば、故障個所が制御基板側にあるか、該制御基板に接続される負荷側にあるかを報知するので、故障個所の特定が迅速に行えることになる。
【図面の簡単な説明】
【図１】本発明の一実施形態に係る給湯装置を示す構成図である。
【図２】リモコンの正面図である。
【図３】コントローラの要部のブロック図である。
【図４】故障診断の接続の一例を示すブロック図である。
【図５】故障診断の接続の他の例を示すブロック図である。
【図６】故障診断の接続のさらに他の例を示す図である。
【図７】故障診断の接続の他の例を示す図である。
【符号の説明】
１      給湯装置
７      リモコン
８      コントローラ
９      水位センサ
１２    水量センサ
２０    サーミスタ
２３    マイクロコンピュータ
２４    水量パルス入力回路
２５    サーミスタ入力回路
２６    ファンパルス出力回路
２７    ファンモータ
２８    水位センサ基準電圧出力回路
【図１】
0004465885.tif 000002
【図２】
0004465885.tif 000003
【図３】
0004465885.tif 000004
【図４】
0004465885.tif 000005
【図５】
0004465885.tif 000006
【図６】
0004465885.tif 000007
【図７】
0004465885.tif 000008